(57)【要約】【課題】押ボタンの操作で左右腕杆部材と頭部装着部材を同時に揺動でき、外殻人形体が手振りを交えてお喋りするようなアクションができ、他の外殻人形体を互換装着して楽しめ、把持し易く、お菓子等を収容した状態で販売でき、構成簡素で、耐久性に優れ、操作簡単で、楽しく遊べ、量産に適し、低廉で、経済的で、興趣に富む手動式人形玩具を提供する。【解決手段】玩具本体Ａと外殻人形体Ｂと握り兼用容器Ｃとを備え、押ボタン２の押圧操作で、頭部装着部材１０が揺動すると共に、左右腕杆部材１２が揺動するよう形成し、頭部装着部材１０の揺動動作で、外殻人形体Ｂの頭部が前後方向に頷いているように形成し、腕杆部材１２の揺動動作で外殻人形体Ｂの左右腕部が前後方向に腕部を動かしているように形成し、握り兼用容器Ｃ内には、適宜収容物を収容できるよう構成する。【選択図】図２
0003117365.tif 000002
【実用新案登録請求の範囲】
【請求項１】
玩具本体と、この玩具本体の上部に互換可能に装着される外殻人形体と、玩具本体の下部に着脱自在に装着されると共に、手指によって玩具本体の下部と一緒に把持可能となるよう形成される握り兼用容器とを備え、玩具本体に設けた押ボタンの押圧操作によって内蔵された連繋機構が作動し、この連繋機構の作動により、玩具本体の上端部に設けた頭部装着部材が鉛直面内を前後方向に揺動するよう形成すると共に、玩具本体の上端がわ左右側部に設けた左右腕杆部材が水平面内を前後方向に揺動するよう形成し、頭部装着部材には外殻人形体の嵌合凹部が嵌合されて、頭部装着部材の揺動動作によって外殻人形体の頭部が前後方向に頷いているように形成し、左右腕杆部材には外殻人形体の左右腕部が夫々外装されて、腕杆部材の揺動動作によって外殻人形体の左右腕部が前後方向に腕部を動かしているように形成し、握り兼用容器内には、お菓子等の適宜収容物を収容できるように構成したことを特徴とする手動式人形玩具。
【請求項２】
前記連繋機構は、上下方向に沿って配されると共に、その上下方向中央部分を支点として、その上下端部が前後方向に揺動するように形成される揺動片と、前後方向に沿って水平に配されるガイド軸部に外装されると共に、このガイド軸部に沿って前後方向に摺動自在となるように形成される摺動体とからなり、揺動片の下端部分は押ボタンに当接され、揺動片の上端部分は摺動体の前面がわに当接され、摺動体の後面がわには、ガイド軸部に外装される弾発スプリングの一端部分が接触され、押ボタンの押圧操作により、揺動片を揺動し、この揺動片の上端部分によって、摺動体が弾発スプリングの弾発力に抗して後方に摺動するように形成し、摺動体の上部に設けたラック部が、頭部装着部材の支点部分に設けた歯部に噛合し、摺動体の左右側部に夫々設けたラック部が、腕杆部材の支点部分に設けた歯部に噛合し、摺動体の摺動に伴って、頭部装着部材と左右腕杆部材が揺動するように構成したことを特徴とする請求項１記載の手動式人形玩具。
【考案の詳細な説明】
【技術分野】
【０００１】
本考案は、例えば、手指によって把持できて、押ボタンを押圧するだけで、頭部と左右腕部がスムーズに揺動して、外殻人形体が手振りを交えてお喋りしているようなアクションを行えるように形成し、幼児等がより楽しく遊べるように工夫した手動式人形玩具に関するものである。
【背景技術】
【０００２】
従来、この種の手動式人形玩具としては、例えば、特許文献１に示すような手動操作玩具が提案されている。
すなわち、この手動操作玩具は、人形玩具の胴部内に埋設される枠部材と、その下部に連設された把手部材を有し、枠部材には人形玩具の頭部の取付け部材と腕部の支軸部材が設けられ、把手部材にはそれぞれ押釦に連係した頭部の取付け部材の左右振り機構と、頭部の取付け部材の上下振り機構と、腕部の支軸部材の上下振り機構が設けられたものである。
【０００３】
【特許文献１】実開平５−２９５８８号公報
【考案の開示】
【考案が解決しようとする課題】
【０００４】
ところが、前述のような手動操作玩具にあっては、押釦が複数（三個）あり、その構成が複雑となる難点や、幼児等にはその操作が難しい等の難点があった。また、縫いぐるみ人形は、枠部材等に一体的に取付けられており、その互換が難しい難点もあった。
そこで、本考案は、前述の如き難点等を解消できるようにすると共に、構成が簡素で、耐久性に優れ、操作が簡単で、幼児等が楽しく遊べ、量産に適し、低廉に提供でき、経済的で、お菓子等の適宜収容物を収容しておけ、幼児等にとってより興趣に富む手動式人形玩具を提供すべく案出されたものである。
【課題を解決するための手段】
【０００５】
しかして、前述の如き課題を達成すべく、請求項１記載の手動式人形玩具にあっては、玩具本体Ａと、この玩具本体Ａの上部に互換可能に装着される外殻人形体Ｂと、玩具本体Ａの下部に着脱自在に装着されると共に、手指によって玩具本体Ａの下部と一緒に把持可能となるよう形成される握り兼用容器Ｃとを備え、玩具本体Ａに設けた押ボタン２の押圧操作によって内蔵された連繋機構が作動し、この連繋機構の作動により、玩具本体Ａの上端部に設けた頭部装着部材１０が鉛直面内を前後方向に揺動するよう形成すると共に、玩具本体Ａの上端がわ左右側部に設けた左右腕杆部材１２が水平面内を前後方向に揺動するよう形成し、頭部装着部材１０には外殻人形体Ｂの嵌合凹部２０が嵌合されて、頭部装着部材１０の揺動動作によって外殻人形体Ｂの頭部が前後方向に頷いているように形成し、左右腕杆部材１２には外殻人形体Ｂの左右腕部が夫々外装されて、腕杆部材１２の揺動動作によって外殻人形体Ｂの左右腕部が前後方向に腕部を動かしているように形成し、握り兼用容器Ｃ内には、お菓子等の適宜収容物を収容できるように構成する手段を採用した。
【０００６】
また、請求項２記載の手動式人形玩具にあっては、前記連繋機構は、上下方向に沿って配されると共に、その上下方向中央部分を支点として、その上下端部が前後方向に揺動するように形成される揺動片３と、前後方向に沿って水平に配されるガイド軸部４に外装されると共に、このガイド軸部４に沿って前後方向に摺動自在となるように形成される摺動体５とからなり、揺動片３の下端部分は押ボタン２に当接され、揺動片３の上端部分は摺動体５の前面がわに当接され、摺動体５の後面がわには、ガイド軸部４に外装される弾発スプリング９の一端部分が接触され、押ボタン２の押圧操作により、揺動片３を揺動し、この揺動片３の上端部分によって、摺動体５が弾発スプリング９の弾発力に抗して後方に摺動するように形成し、摺動体５の上部に設けたラック部７が、頭部装着部材１０の支点部分に設けた歯部１１に噛合し、摺動体５の左右側部に夫々設けたラック部８が、腕杆部材１２の支点部分に設けた歯部１３に噛合し、摺動体５の摺動に伴って、頭部装着部材１０と左右腕杆部材１２が揺動するように構成する手段を採用した。
【考案の効果】
【０００７】
従って、請求項１の手動式人形玩具によれば、手指による押ボタン２の押圧操作だけで左右腕杆部材１２と頭部装着部材１０を同時に揺動させることができるようになる。
特に、押ボタン２の押圧操作によって、頭部装着部材１０が鉛直面内を前後方向に揺動し、左右腕杆部材１２が水平面内を前後方向に揺動して、外殻人形体Ｂの頭部が前後方向に頷いているように動作し、且つ外殻人形体Ｂの左右腕部が前後方向に腕部を動かしているように動作するため、外殻人形体Ｂが手振りを交えてお喋りしているようなアクションをさせることができるようになる。
しかも、構成が簡素で、耐久性に優れ、操作が簡単で、幼児等が楽しく遊べ、量産に適し、低廉に提供でき、経済的で、興趣に富む手動式人形玩具となる。
【０００８】
加えて、外殻人形体Ｂは、玩具本体Ａの上部に互換可能に装着されるので、形態等の異なる他の適宜外殻人形体Ｂを互換装着して楽しめるようになり、より興趣に富む手動式人形玩具となる。
【０００９】
更に、握り兼用容器Ｃは、玩具本体Ａの下部に着脱自在に装着されるので、手指によって玩具本体Ａの下部と一緒に把持可能となり、より安定的に把持し易い手動式人形玩具となる。
しかも、握り兼用容器Ｃ内には、お菓子等の適宜収容物を収容できるように構成されているので、握り兼用容器Ｃに、お菓子等の収容物を収容した状態で販売することが可能となり、幼児等にとってはより楽しい手動式人形玩具となる。
【００１０】
また、請求項２の手動式人形玩具によれば、連繋機構の構成が簡素となり、その組立が容易で、故障し難く、耐久性に優れたものとなる。しかも、その動作がスムーズで且つ軽快となり、幼児等の弱い力でも確実に作動させることができるようになる。
【００１１】
特に、摺動体５の上部に設けたラック部７が、頭部装着部材１０の支点部分に設けた歯部１１に噛合し、摺動体５の左右側部に夫々設けたラック部８が、腕杆部材１２の支点部分に設けた歯部１３に噛合し、摺動体５の摺動に伴って、頭部装着部材１０と左右腕杆部材１２が揺動するように構成したので、頭部装着部材１０と左右腕杆部材１２とを、簡単な構成で確実に且つスムーズに連動させることができるようになる。
【考案を実施するための最良の形態】
【００１２】
以下、本考案を説明すると、次の通りである。
本考案の手動式人形玩具は、連繋機構を内蔵した玩具本体Ａと、この玩具本体Ａの上部に互換可能に装着される外殻人形体Ｂと、玩具本体Ａの下部に着脱自在に装着されると共に、手指によって玩具本体Ａの下部と一緒に把持可能となるよう形成される握り兼用容器Ｃとからなるものである。
【００１３】
そして、玩具本体Ａに設けた押ボタン２の押圧操作によって連繋機構が作動し、この連繋機構の作動により、玩具本体Ａの上端部に設けた頭部装着部材１０が鉛直面内を前後方向に揺動すると共に、玩具本体Ａの上端がわ左右側部に設けた左右腕杆部材１２が水平面内を前後方向に揺動するように形成されている。
【００１４】
しかも、頭部装着部材１０には外殻人形体Ｂの嵌合凹部２０が嵌合されて、頭部装着部材１０の揺動動作によって外殻人形体Ｂの頭部が前後方向に頷いているように形成され、左右腕杆部材１２には外殻人形体Ｂの左右腕部が夫々外装されて、腕杆部材１２の揺動動作によって外殻人形体Ｂの左右腕部が前後方向に腕部を動かしているように形成されている。すなわち、外殻人形体Ｂが手振りを交えてお喋りしているようなアクションを行えるように形成されている。
【００１５】
それから、握り兼用容器Ｃは、その内部にお菓子等の適宜収容物を収容できるように構成されている。すなわち、握り兼用容器Ｃに、お菓子等の収容物を収容した状態で販売することができるように形成されている。
【００１６】
また、前記連繋機構は、上下方向に沿って配されると共に、その上下方向中央部分を支点として、その上下端部が前後方向に揺動するように形成される揺動片３と、前後方向に沿って水平に配されるガイド軸部４に外装されると共に、このガイド軸部４に沿って前後方向に摺動自在となるように形成される摺動体５とで形成されている。
そして、揺動片３の下端部分は押ボタン２に当接され、揺動片３の上端部分は摺動体５の前面がわに当接され、摺動体５の後面がわには、ガイド軸部４に外装される弾発スプリング９の一端部分が接触している。すなわち、押ボタン２の押圧操作により、揺動片３が揺動し、この揺動片３の上端部分によって、摺動体５が弾発スプリング９の弾発力に抗して後方に摺動するよう形成されている。
このとき、摺動体５の上部に設けたラック部７は、頭部装着部材１０の支点部分に設けた歯部１１に噛合しており、摺動体５の左右側部に夫々設けたラック部８は、腕杆部材１２の支点部分に設けた歯部１３に噛合しており、摺動体５の摺動に伴って、頭部装着部材１０と左右腕杆部材１２が同時に揺動するように構成されている。
【実施例】
【００１７】
前記玩具本体Ａは、例えば、適宜形状のボディー１と、このボディー１の背面略中央部分に取付けられる押ボタン２と、ボディー１に内蔵される連係機構と、ボディー１の上端部分に装着される頭部装着部材１０と、ボディー１の左右側部に装着される左右腕杆部材１２とを備えたものである。
【００１８】
前記ボディー１は、例えば、適宜合成樹脂材によって形成される一対の前部ボディー１ａと後部ボディー１ｂとからなり、しかも、一対の前部ボディー１ａと後部ボディー１ｂは、止めネジ等によって接続分離可能となるように構成されている。
【００１９】
前記押ボタン２は、例えば、適宜合成樹脂材によって形成され、ボディー１の略背面中央部分に装着され、その先端部分がボディー１外方に突出し、その基端部分がボディー１内に内装されている。しかも、押ボタン２は、ボディー１に対して前後方向にスムーズに摺動できるように形成されていると共に、ボディー１外方に脱落しないように形成されている。
【００２０】
前記揺動片３は、例えば、適宜合成樹脂材によって略細長状に形成され、上下方向に沿って配されると共に、その上下方向中央部分に突設した左右軸部を支点として、その上下端部が前後方向に揺動するようにボディー１に内装されている。
そして、その下端部分が押ボタン２の基端部分に接触し、その上端部分がガイド軸部４を跨ぐような略二股状に形成されると共に、摺動体５の前面部分に接触するように形成されている。
【００２１】
前記ガイド軸部４は、例えば、前部ボディー１ａと後部ボディー１ｂを結ぶように前後方向に沿って水平に配される略円柱状に形成されている。
【００２２】
前記摺動体５は、例えば、適宜合成樹脂材によって略ブロック状に形成され、その中央には、ガイド軸部４が挿通される挿通孔６が穿設されており、ガイド軸部４に沿って前後方向に摺動自在となるように形成されている。尚、摺動体５は、ガイド軸部４に対して回転しないように適宜回り止め手段が形成されている。
更に、摺動体５の上端部分にはラック部７が形成され、摺動体５の左右側部にはラック部８が夫々形成されている。尚、これらのラック部７、８は、前後方向に対して直交する向きに歯が配されている。
【００２３】
前記弾発スプリング９は、例えば、コイルスプリング状を呈し、ガイド軸部４に外装されると共に、その一端部分が摺動体５の背面部分に接触し、その他端部分が後部ボディー１ｂの内表面部分に接触するように縮装されている。すなわち、弾発スプリング９は、その弾発力が摺動体５を常時前方に移動させるように設けられている。ひいては、揺動片３を介して押ボタン２の先端部分を後方に常時突出させるように形成されている。
【００２４】
前記頭部装着部材１０は、例えば、適宜合成樹脂材によって形成され、その基端がわ部分に左右軸部が設けられており、この左右軸部がボディー１上部に保持されることで、前後方向に揺動するように形成されている。そして、頭部装着部材１０の先端部分は、外殻人形体Ｂの嵌合凹部２０に嵌合自在となるように形成され、頭部装着部材１０の基端部分には、摺動体５の上部のラック部７に噛合する略ピニオン状の歯部１１が形成されている。
【００２５】
前記左右腕杆部材１２は、例えば、適宜合成樹脂材によって形成され、その基端がわ部分に左右軸部が設けられており、この左右軸部がボディー１の左右側部に保持されることで、前後方向に揺動するように形成されている。そして、腕杆部材１２の先端がわ部分は、外殻人形体Ｂの袋状の腕部に差込み自在となるように形成され、腕杆部材１２の基端部分には、摺動体５の左右側部のラック部８に噛合する略ピニオン状の歯部１３が形成されている。
【００２６】
前記外殻人形体Ｂは、例えば、適宜布地やその他の適宜材料等を利用して形成され、ボディー１上部を覆うような胴部と、左右腕杆部材１２を覆うような左右腕部と、頭部装着部材１０を覆うように装着される頭部とを備え、頭部内には、頭部装着部材１０に嵌合するような嵌合凹部２０が形成されている。すなわち、外殻人形体Ｂは、玩具本体Ａへの装着や取外しが、誰でも簡単に行えるように形成されている。尚、外殻人形体Ｂ自体は、幼児等が長期間興味を持って楽しめるものが好ましい。
【００２７】
前記握り兼用容器Ｃは、例えば、透明（或いは、半透明）な適宜合成樹脂材等によって、略細長有底円筒状に形成されており、ボディー１の下部に着脱自在に外装できるよう形成されている。具体的には、ボディー１の下部の前後に、略逆Ｕ字状の切欠溝を切設してなる弾性片１５を夫々設け、この弾性片１５に係止突起１６を突設し、この係止突起１６に係脱自在に係止される係止孔１７を握り兼用容器Ｃの上部に夫々設けて形成されている。尚、握り兼用容器Ｃは、手指によって玩具本体Ａの下部と一緒に把持し易くなるような形状、寸法に形成される。
【００２８】
ところで、手動式人形玩具の具体的構成、形状、寸法、材質、玩具本体Ａの具体的構成、形状、寸法、材質、外殻人形体Ｂの具体的構成、形状、寸法、材質、握り兼用容器Ｃの具体的構成、形状、寸法、材質、連係機構の具体的構成、ボディー１の具体的構成、形状、寸法、材質、前部ボディー１ａの具体的構成、形状、寸法、材質、後部ボディー１ｂの具体的構成、形状、寸法、材質、押ボタン２の具体的構成、形状、寸法、材質、配設位置、揺動片３の具体的構成、形状、寸法、材質、配設位置、ガイド軸部４の具体的構成、形状、寸法、材質、配設位置、摺動体５の具体的構成、形状、寸法、材質、挿通孔６の具体的構成、形状、寸法、配設位置、ラック部７、８の具体的構成、形状、寸法、材質、配設位置、弾発スプリング９の具体的構成、形状、寸法、材質、頭部装着部材１０の具体的構成、形状、寸法、材質、歯部１１の具体的構成、形状、寸法、材質、配設位置、腕杆部材１２の具体的構成、形状、寸法、材質、歯部１３の具体的構成、形状、寸法、材質、配設位置、弾性片１５の具体的構成、形状、寸法、配設位置、係止突起１６の具体的構成、形状、寸法、配設位置、係止孔１７の具体的構成、形状、寸法、配設位置、嵌合凹部２０の具体的構成、形状、寸法、配設位置等は、図示例のもの等に限定されることなく適宜自由に設定、変更できるものである。
【図面の簡単な説明】
【００２９】
【図１】本考案を例示する分解斜視図である。
【図２】本考案を例示する一部を省略した部分切欠側面図である。
【図３】本考案を例示する一部を省略した部分切欠背面図である。
【図４】本考案を例示する一部を省略した部分切欠平面図である。
【符号の説明】
【００３０】
Ａ      玩具本体
Ｂ      外殻人形体
Ｃ      握り兼用容器
１      ボディー
１ａ    前部ボディー
１ｂ    後部ボディー
２      押ボタン
３      揺動片
４      ガイド軸部
５      摺動体
６      挿通孔
７      ラック部
８      ラック部
９      弾発スプリング
１０    頭部装着部材
１１    歯部
１２    腕杆部材
１３    歯部
１５    弾性片
１６    係止突起
１７    係止孔
２０    嵌合凹部
【図１】
0003117365.tif 000003
【図２】
0003117365.tif 000004
【図３】
0003117365.tif 000005
【図４】
0003117365.tif 000006